(57)【要約】【課題】強度の弱い野地板を使用した場合でも野地板を補強すると共に断熱性に優れた屋根を形成するための野地構造を提供することを目的とするものである。【解決手段】複数本平行に配置された垂木３，３，…と、垂木３の長手方向の複数個所において隣り合う垂木３，３間に掛け渡して取付けられる複数の支持部材１，１，…と、垂木３及び支持部材１の上に取り付けられる野地板４と、隣り合う垂木３，３間に沿って配置されるシート部材２とを備えた野地構造とする。支持部材１は、支持連結片１１の上下両端部に上支持片１２と下支持片１３を設けて垂木３の長手方向に開口する断面略コ字状に形成される。シート部材２は、各支持部材１の下支持片１３に係合されることによって支持される。野地板４は、垂木３及び支持部材１の上支持片１２の上に取り付けられる。【選択図】図１
2010127004.tif 000002
【特許請求の範囲】
【請求項１】
複数本平行に配置された垂木と、支持連結片の上下両端部に上支持片と下支持片を設けて垂木の長手方向に開口する断面略コ字状に形成され、垂木の長手方向の複数個所において隣り合う垂木間に掛け渡して取付けられる複数の支持部材と、垂木及び支持部材の上支持片の上に取り付けられる野地板と、隣り合う垂木間に沿って配置され、各支持部材の下支持片に係合されることによって支持されるシート部材とを、備えて成ることを特徴とする野地構造。
【請求項２】
前記支持連結片に垂木の長手方向に貫通する通気孔を設けて成ることを特徴とする請求項１に記載の野地構造。
【請求項３】
前記シート部材に上方へ突出して屈曲する屈曲部を垂木の長手方向に沿って設け、屈曲部の両側の基部に切り込んで設けた切込側部と、切込側部の端部同士が連通するように屈曲部に切り込んで設けた切込連通部とから、平面形状が略コ字状の切込部を形成し、前記支持部材の下支持片と支持連結片とに切込部を被挿して係合することによって、支持部材の下支持片でシート部材を支持するようにしたことを特徴とする請求項１又は２に記載の野地構造。
【請求項４】
前記シート部材の両側端部をそれぞれ、支持部材の両側の各端部と垂木との間に挟み込んで成ることを特徴とする請求項１乃至３のいずれか１項に記載の野地構造。
【発明の詳細な説明】
【技術分野】
【０００１】
本発明は、屋根を施工する際の野地構造に関するものである。
【背景技術】
【０００２】
住宅の屋根構造において、従来、野地板は構造用合板などの合板が主流であったが、昨今、合板の高騰化や供給不安により、代替品として材木使用の合板や集成ボードが使用されている。このような材木使用の合板や集成ボードは、従来のものに比べ曲げ剛性が低いため、たわみが大きくなり、スレート等の野地剛性に影響される屋根材においては施工中の割れなど踏み付けによる品質低下の問題が懸念されている。
【０００３】
また、屋根の断熱性を向上させる目的で野地を断熱性の構造にすることが知られている。屋根の断熱構造は、小屋裏を居室、または収納スペースとして使用する場合に特に要求されるものである。
【０００４】
これらの課題に対し、断熱性と補強性を考慮した野地構造が知られている。図７は、従来の野地構造の一例を示す断面図である（例えば特許文献１参照）。この例では、断熱性が、野地板４と断熱材２’との間に空気層５を設けることにより確保されている。その際、断熱材２’が垂木３と垂木３の間に亘って設けられずに空気層５に部分的な欠損があった場合、その欠損部分から熱が流出して結露を生じる原因となることがあるので、断熱性を確保するためには、隣接する垂木３に断熱材２’の垂木側の両端部を密着させる必要がある。したがって、断熱材２’の幅は、垂木３と垂木３の間隔に合わせて設計しなければならない。
【０００５】
ここで、垂木３と垂木３の間隔は住宅モジュールにより異なっており、一般的に尺モジュールの場合、３０３ｍｍ又は４０５ｍｍであり、メートルモジュールの場合、５００ｍｍである。しかしながら、実際には現場で割付採寸する場合が多く、垂木３間隔の精度はよくない。また、住宅の間取りや形状により垂木３間隔を部分的に変えるケースも多く、特にけらば等の端部では寸法調整のため垂木３間隔は変わるケースが多い。
【０００６】
そのため、断熱材２’として硬質の断熱ボードを使用した場合、垂木間隔のバラツキに対して確実に隙間なく断熱材２’を設けるためには、切断するなどして寸法調整をする必要があり施工に手間がかかるといった問題が生じていた。
【０００７】
また、断熱材２’としてグラスウールなどを使用することも提案されている。しかし、空気層５を確保するためにスペーサーなどが必要となる上に、垂木３間に充填させるとグラスウール自体が柔らかいために、部分的なスペーサーでは空気層５が十分に確保できず、全体的なスペーサーが必要となり構造を複雑化させてしまうおそれがある。
【０００８】
また、図７の野地構造は、補強材１’により補強性を高めるものであるが、複数の補強部材１’を一つずつ垂木３に設置する必要があり施工に手間がかかっていた。
【特許文献１】特開２００６−１５２５６４号公報
【発明の開示】
【発明が解決しようとする課題】
【０００９】
本発明は、上記の点に鑑みてなされたものであり、野地板を補強すると共に断熱性に優れた屋根を形成するための野地構造を提供することを目的とするものである。
【課題を解決するための手段】
【００１０】
本発明の請求項１に係る野地構造は、複数本平行に配置された垂木３，３，…と、支持連結片１１の上下両端部に上支持片１２と下支持片１３を設けて垂木３の長手方向に開口する断面略コ字状に形成され、垂木３の長手方向の複数個所において隣り合う垂木３，３間に掛け渡して取付けられる複数の支持部材１，１，…と、垂木３及び支持部材１の上支持片１２の上に取り付けられる野地板４と、隣り合う垂木３，３間に沿って配置され、各支持部材１の下支持片１３に係合されることによって支持されるシート部材２とを、備えて成ることを特徴とするものである。
【００１１】
請求項２に係る野地構造は、上記構成に加え、前記支持連結片１１に垂木３の長手方向に貫通する通気孔１４を設けて成ることを特徴とするものである。
【００１２】
請求項３に係る野地構造は、上記構成に加え、前記シート部材２に上方へ突出して屈曲する屈曲部２１を垂木３の長手方向に沿って設け、屈曲部２１の両側の基部２１ａに切り込んで設けた切込側部２２ａと、切込側部２２ａの端部同士が連通するように屈曲部２１に切り込んで設けた切込連通部２２ｂとから、平面形状が略コ字状の切込部２２を形成し、前記支持部材１の下支持片１３と支持連結片１１とに切込部２２を被挿して係合することによって、支持部材１の下支持片１３でシート部材２を支持するようにしたことを特徴とするものである。
【００１３】
請求項４に係る野地構造は、上記構成に加え、前記シート部材２の両側端部をそれぞれ、支持部材１の両側の各端部と垂木３との間に挟み込んで成ることを特徴とするものである。
【発明の効果】
【００１４】
請求項１に係る野地構造によれば、支持部材が野地板を補強するので施工中の踏み割れなどの品質低下を防ぐことができると共に、シート部材と野地板とが空気層を形成するので断熱性を向上することができる。また、支持部材とシート部材を一体として取り扱って垂木に配設することができるので、施工性を向上することができる。
【００１５】
請求項２に係る野地構造によれば、支持連結片に設けられた通気孔により、屋根裏の通気性を図ることができる。
【００１６】
請求項３に係る野地構造によれば、垂木間隔に寸法のバラツキが生じた場合でも、屈曲部が形成されたシート部材が垂木間で伸縮することによりバラツキを吸収することができ、シート部材を確実に垂木間に配設して断熱性をさらに向上することができる。また、切込部という簡単な構成によりシート部材を支持部材に係合させて一体化させることができるので、施工性をさらに向上することができる。
【００１７】
請求項４に係る野地構造によれば、シート部材が垂木に密着して配設されるので、空気層に欠損が生じて熱が流出入することを防ぎ、断熱性をさらに向上することができる。
【発明を実施するための最良の形態】
【００１８】
図１は、本発明の野地構造の一例を示す図であり、（ａ）は平面図、（ｂ）はＡ１−Ａ１断面図、（ｃ）はＡ２−Ａ２断面図である。なお、図１（ａ）では、野地板４の一部を省いて図示している。この野地構造は、複数本平行に配置された垂木３，３，…と、隣り合う垂木３，３間に掛け渡して取付けられる複数の支持部材１と、垂木３及び支持部材１の上に取り付けられる野地板４と、隣り合う垂木３，３間に沿って配置され、各支持部材１の下支持片１３に係合されるシート部材２とを備えている。
【００１９】
図２は、支持部材１の一例を示した図である。支持部材１は、矩形形状の支持連結片１１と、支持連結片１１の上側の端部に設けられた矩形形状の上支持片１２と、支持連結片１１の下側の端部に設けられた矩形形状の下支持片１３とからなり、その断面が垂木３の長手方向に開口する略コ字状に形成されている。この開口は軒側に向かって開口するものであっても、棟側に向かって開口するものであってもよい。また、上支持片１２の両端には、垂木３に向かって突出した支持固定片１５が形成されている。そして、支持固定片１５には、釘、ビス等の固定具により垂木３に取り付けられるための固定具孔１６が設けられている。
【００２０】
上支持片１２の両側の支持固定片１５の先端間の長さは垂木３，３間の長さよりもやや長く、それにより支持部材１の両端の支持固定片１５が隣り合う各垂木３，３の上面に配置されて、支持部材１が垂木３に掛け渡して取り付けられる構造となっている。また、支持連結片１１と下支持片１３の長手方向の長さは、垂木３，３間の距離と略同等の長さになっている。この支持連結片１１と下支持片１３の長手方向の長さは、垂木３，３間の距離よりも短いものであってもよい。このような長さになることにより、支持部材１の支持連結片１１と下支持片１３とが、垂木３，３間に挿入されて配置することが可能となる。また、図示の例では、支持連結片１１と下支持片１３の長手方向の長さが同じである例を示しているが、この長さは異なっていてもよい。
【００２１】
このような上支持片１２、支持連結片１１及び下支持片１３の長手方向の長さは、住宅モジュールや住宅の仕様に合わせて設定することができる。すなわち、隣り合う垂木３，３の間隔は一般的に、尺モジュールの場合、３０３ｍｍ又は４０５ｍｍであり、メートルモジュールの場合、５００ｍｍであるので、支持部材１の各支持片の長さも住宅モジュールに合わせて適宜設定することができる。
【００２２】
図示の例では、野地板４とシート部材２とで形成される空間中に位置するよう支持連結片１１に通気孔１４が設けられている。このように通気孔１４が設けられていると、屋根裏の通気性を図ることが可能となるので好ましい。
【００２３】
支持部材１は鋼板等を加工することにより作製することができる。鋼板等の厚みは例えば０．４ｍｍ程度のものを使用することができる。具体的には、例えば、鋼板を所定の大きさ・形状に切断した後、通気孔１４のための穴を打ち抜き、折り曲げ加工等することによって支持部材１を作製することができる。
【００２４】
本発明の野地構造においては、上記のような支持部材１が、垂木３の長手方向の複数個所において隣り合う垂木３，３間に掛け渡して複数取付けられる。そして、野地板４は、垂木３及び支持部材１の上支持片１２の上に張って取り付けられる。それにより、野地板４を補強することができるので、強度の弱い野地板４を使用した場合でも施工中の屋根材の踏み割れなどの品質低下を防ぐことができる。
【００２５】
図６に支持部材１の他の一例を示す。この支持部材１（１ａ）は、上記支持部材１と概略同じであるが、上記支持部材１の構成に加えてさらに、支持連結片１１の両端に、上支持片１２、支持連結片１１及び下支持片１３によって形成される断面コ字状の開口方向と反対方向に突出して形成される連結固定片１８を備えている。この支持連結片１１の両端の連結固定片１８，１８は、それぞれ平面視において隣接する垂木３の方向に傾斜して延出している。連結固定片１５には、釘、ビス等の固定具により垂木３に取り付けられるための固定具孔１６ａが設けられている。図６の支持部材１ａによれば、支持部材１ａを垂木３の側部にも固定することができるので、野地の強度をさらに高めることができるものである。
【００２６】
シート部材２は、隣り合う垂木３，３の下部間に沿って支持部材１の下側に配置されている。それにより、野地板４とシート部材２とにより空気層５を形成することができ、断熱性を向上することができる。また、シート部材２は、上記した各支持部材１の下支持片１３に係合されることによって支持される。それにより、支持部材１とシート部材２を一体として取り扱って垂木３に配設することができるので、施工性を向上することができるものである。
【００２７】
図３は、シート部材２の一例を示した図である。図示の例では、シート部材２に、上方へ突出して断面逆Ｖ字形に屈曲する屈曲部２１が、垂木３の長手方向に沿って複数設けられている。また、屈曲部２１には、平面形状が略コ字状の切込部２２が複数形成されている。この切込部２２は、屈曲部２１の両側の基部２１ａに切り込んで設けた切込側部２２ａと、切込側部２２ａの端部同士が連通するように屈曲部２１に切り込んで設けた切込連通部２２ｂとからなるものである。各切込部２２は垂木３の長手方向に所定間隔で形成され、各屈曲部２１に形成された切込部２２は、垂木３の長手方向と垂直な方向での位置で揃った状態となっている。そして、この切込部２２を、下支持片１３に切込側部２２ａを、支持連結片１１に切込連通部２２ｂを差し込むようにして支持部材１に被挿して係合することによって、支持部材１の下支持片１３でシート部材２が支持される構造となっている。
【００２８】
このように、図示の例では、切込部２２という簡単な構成によりシート部材２を支持部材１に係合させて一体化させることができるので、施工性をさらに向上することができるものである。また、垂木３，３間の間隔に寸法のバラツキが生じた場合でも、屈曲部２１が形成されたシート部材２が垂木３，３間で伸縮することによりバラツキを吸収することができ、シート部材２を確実に垂木３，３間に配設して断熱性をさらに向上させることができるものである。
【００２９】
また図示の例では、シート部材２の垂木３側の両側端部（シート部材端部２３）が上側に突出しており、図１（ｂ）のように、このそれぞれのシート部材端部２３を、支持部材２の垂木３側の両側の各端部（支持部材端部１７）と垂木３との間に挟み込んだ構造となっている。それにより、シート部材２が垂木３に密着して配設されるので、空気層５に欠損が生じて熱が流出入することを防ぎ、断熱性をさらに向上することができる。
【００３０】
シート部材２は、断熱機能及び遮熱機能の少なくともいずれか一方の機能を有するシートを用いて形成することができる。シート部材２の材質としては、当該機能を有するものであれば、断熱シートや押出成形品など任意のものを使用することができるが、アルミシートを貼ったダンボールであることが好ましい。アルミシートを貼ったダンボールによれば、断熱性と遮熱性が相乗的に高まるので、屋根の断熱性を格段に向上させることができる。また、ダンボールは強度がある一方、折り曲げがしやすく、屈曲部２１の形成や両端部の折り曲げを容易に行うことができるので、支持部材１に簡単に係合させることができ、施工性を向上することができる。また、アルミ貼りダンボールは、カッター等の切断具を用いて容易に切断し得るので、切込部２２を簡単に形成することができる。また、ダンボールによれば、屈曲部２１の両側の基部２１ａ間の距離を容易に調節することができるので、シート部材２の垂木３，３間での伸縮性が増し、垂木３，３間隔の寸法のバラツキをさらに吸収することができる。なお、断熱性と遮熱性を得るために、アルミシート貼りダンボールはアルミシートを上側にして配設される。
【００３１】
次に、図１のような野地構造を形成する方法について説明する。なお、以下、図２に示す支持部材１を用いた例を説明するが、図６に示す支持部材１ａを用いても同様に形成することが可能である。図４（ａ）〜（ｃ）は、本発明の野地構造を形成している様子の一例を説明する斜視図である。このような野地構造を形成するにあたっては、まず、シート部材２を所定の形状に形成する。
【００３２】
シート部材２がアルミシート貼りダンボールなどの材質である場合は、シート部材２の所定の位置に複数の切込部２２を形成する。なお、切込部２２はシート部材２にあらかじめ形成されていてもよい。次に、複数の切込部２２が形成されたシート部材２を、切込部２２の対称中心に沿って上方向に山折りして屈曲部２１を形成する。この山折りは、シート部材２がダンボール材質である場合、ダンボールの波に沿って行うのが好ましい。それにより、屈曲部２１を簡単に形成することができ、施工性が向上する。また、シート部材２の両端部（シート部材端部２３）を上方向に折り曲げる。
【００３３】
そして、シート部材２に支持部材１を取り付けるにあたっては、まず、垂木３の長手方向と垂直な方向に配列した複数の切込部２２（以下、第１列の切込部２２という）に支持部材１（以下、第１の支持部材１という）の下支持片１３と支持連結片１１とを挿入する。これにより、第１の支持部材１の下支持片１３と支持連結片１１とが第１列の切込部２２により被挿される。図４（ａ）は、第１列の切込部２２が第１の支持部材１を被挿した様子を示している。同様にして第２，３，…の支持部材１を順に第２，３，…列の切込部２２に挿入することにより、第２，３，…の支持部材１の下支持片１３と支持連結片１１とが第２，３，…列の切込部２２により被挿される。こうして、複数列の切込部２２に複数の支持部材１が被挿された複合部材が形成される。このように、支持部材１とシート部材２とが一体となった複合部材をあらかじめ形成することにより、この複合部材を垂木３，３間に配設して支持部材１とシート部材２との両部材を一度に配設することができるので、施工性を向上することができるものである。
【００３４】
次に、シート部材２と複数の支持部材１とからなる上記複合部材を上側から垂木３，３間に挿入して配設する。図４（ｂ）は、複合部材を垂木３，３間に取り付ける途中の状態の一例を、（ｃ）は、垂木３，３間に取り付けられた後の状態の一例を示している。その際、シート部材２の垂木３側の両端部（シート部材端部２３）を支持部材１の垂木３側の両端部（支持部材端部１７）と垂木３とで挟み込みながら取り付ける。それにより、シート部材２と垂木３とを密着させことができ、断熱性を向上することができる。続いて、支持部材１の固定具孔１６に釘などの固定具を打ち付けて支持部材１を垂木３に固定する。以上の動作により、シート部材２と支持部材１とが垂木３，３間に配設された野地構造の一部が形成される。
【００３５】
このような動作を繰り返し、順次、垂木３，３の間にシート部材２と複数の支持部材１とからなる複合部材を配設する。その際、垂木３の長手方向に隣接するシート部材２は、垂木３の長手方向の端部同士を突き合わせてアルミテープなどでテープ留めすることが好ましい。それにより、シート部材２，２間で隙間ができるのを防いで空気層５に欠損ができないようにすることができるので耐熱性を向上させることができる。また、上記複合部材によって形成された空気層５が支持部材２の支持連結片１１に設けられた通気孔１４によって垂木３の長手方向に沿って連通するので、通気性を確保することができる。
【００３６】
こうして、屋根面全体（又は所望する部分）に上記複合部材を配設することにより、複数のシート部材２と複数の支持部材１とが複数の垂木３，３間に配設された野地板４下の構造が形成される。図５は、このようにしてシート部材２と支持部材１とが垂木３に取り付けられた野地板４下の構造の一例を示す斜視図である。そして、垂木３及び支持部材１の上に、野地板４を張って取り付けることにより、図１のような野地構造を形成することができる。
【００３７】
このように形成された野地構造は、支持部材１で野地板４が補強されており、構造用合板、材木合板、集成ボードなどの強度の弱い野地板４を用いて野地を形成した場合でも施工中の踏み割れなどの品質低下を防ぐことができるものである。また、シート部材２と野地板４とにより空気層５が形成され、断熱性が高いものである。
【図面の簡単な説明】
【００３８】
【図１】本発明の野地構造の一例を示す図であり、（ａ）は平面図、（ｂ）はＡ１−Ａ１断面図、（ｃ）はＡ２−Ａ２断面図を示している。
【図２】支持部材１の一例を示した図であり、（ａ）は斜視図、（ｂ）は平面図、（ｃ）は正面図、（ｄ）は底面図、（ｅ）は側面図、（ｆ）はＢ−Ｂ断面図を示している。
【図３】シート部材２の一例を示した図であり、（ａ）は平面図、（ｂ）は正面図、（ｃ）はＣ−Ｃ断面図を示している。
【図４】（ａ）〜（ｃ）は、本発明の野地構造を形成している様子の一例を説明する斜視図である。
【図５】本発明の野地構造を形成している様子の一例を示した斜視図である。
【図６】支持部材１の他の一例を示した図であり、（ａ）は斜視図、（ｂ）は平面図、（ｃ）は底面図を示している。
【図７】従来の野地構造の一例を示す断面図である。
【符号の説明】
【００３９】
１      支持部材
１１    支持連結片
１２    上支持片
１３    下支持片
１４    通気孔
２      シート部材
２１    屈曲部
２１ａ  基部
２２    切込部
２２ａ  切込側部
２２ｂ  切込連通部
３      垂木
４      野地板
５      空気層
【図１】
2010127004.tif 000003
【図２】
2010127004.tif 000004
【図３】
2010127004.tif 000005
【図４】
2010127004.tif 000006
【図５】
2010127004.tif 000007
【図６】
2010127004.tif 000008
【図７】
2010127004.tif 000009